(57)【特許請求の範囲】
【請求項１】
排気用ファンを内装した本体ハウジングの前部に、前記本体ハウジングの前面及びその上方を覆う化粧パネルを取り付けるレンジフードにおいて、
前記化粧パネルは、上部パネルと、該上部パネルに対して上下にスライド自在な下部パネルとを備え、
前記上部パネルを、前記本体ハウジングの前部上方に位置する固定部に、前面から挿抜操作可能に係止する係止手段を備え、
前記係止手段は、前記上部パネルに備えられる係止片と、前記固定部に備えられると共に、前記係止片が前後方向に挿抜操作される連結部とを備えており、
前記固定部が、前記本体ハウジングに立設された高さ調節可能な支持枠の上部であり、
前記連結部は、前記係止片を前後方向に抜け止め係止する係止部と、前記係止片を上下方向に受止める受け部とを備え、
前記係止片の前記係止部への係止によって、上部パネルの前方への移動が阻止され、前記係止片を前記受け部で受止めることで、上部パネルの落下が阻止されるものであり、
前記係止片は、弾性変形可能であり、前記上部パネルを前後方向に移動させて、前記係止片を弾性変形させることによって、前記係止片を前記係止部へ係止あるいは前記係止部から離脱させるものであり、
前記係止片は、前記上部パネルから片持ち状に突設されると共に、先端側が斜め上方に屈曲された屈曲部を有し、
前記受け部と該受け部に対向する係止部とによって、前記係止片が挿抜される装着口が形成され、該装着口の奥側の前記係止部に、前記係止片の前記屈曲部が弾性的に当接して係止される、
ことを特徴とするレンジフード。
【請求項２】
排気用ファンを内装した本体ハウジングの前部に、前記本体ハウジングの前面及びその上方を覆う化粧パネルを取り付けるレンジフードにおいて、
前記化粧パネルは、上部パネルと、該上部パネルに対して上下にスライド自在な下部パネルとを備え、
前記上部パネルを、前記本体ハウジングの前部上方に位置する固定部に、前面から挿抜操作可能に係止する係止手段を備え、
前記係止手段は、前記上部パネルに備えられる係止片と、前記固定部に備えられると共に、前記係止片が前後方向に挿抜操作される連結部とを備えており、
前記固定部が、前記本体ハウジングに立設された高さ調節可能な支持枠の上部であり、
前記連結部は、前記係止片を前後方向に抜け止め係止する係止部と、前記係止片を上下方向に受止める受け部とを備え、
前記係止片の前記係止部への係止によって、上部パネルの前方への移動が阻止され、前記係止片を前記受け部で受止めることで、上部パネルの落下が阻止されるものであり、
前記係止片は、弾性変形可能であり、前記上部パネルを前後方向に移動させて、前記係止片を弾性変形させることによって、前記係止片を前記係止部へ係止あるいは前記係止部から離脱させるものであり、
前記係止片は、前記上部パネルから片持ち状に突設され、かつ、中間部が折返されると共に、先端部が丸められたカール部を有し、
前記受け部と該受け部に対向する係止部とによって、前記係止片が挿抜される装着口が形成され、該装着口の奥側の前記係止部に、前記係止片の前記カール部が弾性的に当接して係止される、
ことを特徴とするレンジフード。
【請求項３】
前記固定部に係止された前記上部パネルに対してスライド下降させた下部パネルの下部を、本体ハウジング側に固定する止着手段を備える、
請求項１または２に記載のレンジフード。
【発明の詳細な説明】
【技術分野】
【０００１】
本発明は、ガスコンロ、電気コンロ、および電磁誘導加熱式クッキングヒータ（ＩＨヒータ）などの加熱調理器具の上方に設置されて、調理中に発生する煙や湯気などの排気を吸い込み捕集して屋外に排出するためのレンジフードに関する。
【背景技術】
【０００２】
レンジフードは、吊り戸棚の間や、吊り戸棚と側壁面との間に設置されることが多く、レンジフード本体の前面に備えた化粧パネルが、吊り戸棚の前面に揃うように、かつ、レンジフードの下端が、吊り戸棚の下端と揃うように取り付けられる。
【０００３】
天井壁と吊り戸棚の下端との寸法は、吊り戸棚の高さによって種々異なるので、この寸法に応じて設置する化粧パネルの高さを変更することになる。そこで、特許文献１では、化粧パネル（前面パネル）の上部に上下にスライド調節可能な幕板と呼称される延長化粧パネルを取付け、幕板を上下スライド調節することで天井壁と化粧パネルの間を埋めるようにしている。
【０００４】
他の従来例として、現場で、天井壁と吊り戸棚の下端との寸法に応じた設置すべき化粧パネルの高さを予め測定し、上下にスライド調節可能な化粧パネルを、測定した高さになるようにスライド操作して調整し、この調整した化粧パネルを取付けるようにしている。
【先行技術文献】
【特許文献】
【０００５】
【特許文献１】実公平５−３９３８８号公報
【発明の概要】
【発明が解決しようとする課題】
【０００６】
上記特許文献１では、上部に幕板を備えた化粧パネルを本体ハウジングにネジ締め固定し、次に、幕板を天井壁に当たるまで上方へスライド操作し、化粧パネル前面の左右においてネジ締め操作を行って、幕板が落下しないように固定することになる。
【０００７】
このように横幅の大きい幕板を上方へ平行にスライド操作して高さ調整してネジ締め固定する作業を、高い位置で行うのは、容易でなく、煩わしいものである。
【０００８】
また、上記他の従来例では、現場において、予め設置すべき化粧パネルの高さを測定し、上下にスライド調節可能な化粧パネルを、測定した高さになるようにスライド操作して調整する必要があり、作業が面倒である。
【０００９】
本発明は、このような実情に着目してなされたものであって、設置作業を容易に行うことができる施工性に優れたレンジフードを提供することを目的とする。
【課題を解決するための手段】
【００１０】
前記の課題を解決するために、本発明は、次のように構成している。
【００１１】
（１）本発明のレンジフードは、排気用ファンを内装した本体ハウジングの前部に、前記本体ハウジングの前面及びその上方を覆う化粧パネルを取り付けるレンジフードにおいて、
前記化粧パネルは、上部パネルと、該上部パネルに対して上下にスライド自在な下部パネルとを備え、
前記上部パネルを、前記本体ハウジングの前部上方に位置する固定部に、前面から挿抜操作可能に係止する係止手段を備え、
前記係止手段は、前記上部パネルに備えられる係止片と、前記固定部に備えられると共に、前記係止片が前後方向に挿抜操作される連結部とを備えており、
前記固定部が、前記本体ハウジングに立設された高さ調節可能な支持枠の上部であり、
前記連結部は、前記係止片を前後方向に抜け止め係止する係止部と、前記係止片を上下方向に受止める受け部とを備え、
前記係止片の前記係止部への係止によって、上部パネルの前方への移動が阻止され、前記係止片を前記受け部で受止めることで、上部パネルの落下が阻止されるものであり、
前記係止片は、弾性変形可能であり、前記上部パネルを前後方向に移動させて、前記係止片を弾性変形させることによって、前記係止片を前記係止部へ係止あるいは前記係止部から離脱させるものであり、
前記係止片は、前記上部パネルから片持ち状に突設されると共に、先端側が斜め上方に屈曲された屈曲部を有し、
前記受け部と該受け部に対向する係止部とによって、前記係止片が挿抜される装着口が形成され、該装着口の奥側の前記係止部に、前記係止片の前記屈曲部が弾性的に当接して係止される。
【００１２】
本発明によると、上下スライド自在な化粧パネルの上部パネルを、本体ハウジングの前部上方に位置する固定部に、係止手段を介して係止連結した後、下部パネルを下方にスライド下降させるだけで、所望の高さに化粧パネルを調整することができる。
【００１３】
これによって、高い位置で化粧パネルを上方へスライド操作して調整する必要がなく、また、予め設置すべき化粧パネルの高さを測定し、化粧パネルをスライド操作して、測定した高さに調整する必要がなく、手間をかけること少なく簡単かつ速やかに化粧パネルを取付けることができる。
【００１５】
本発明によると、上部パネルに備えられた係止片を、固定部に備えられた連結部に挿入することによって、上部パネルが固定部に落下不能に係止されるので、ネジなどの連結具や工具を必要とすることなく、簡単な操作で、上部パネルを、落下を阻止した状態で固定部に係止連結し、この上部パネルに対して下部パネルを下方にスライド下降させるだけで、化粧パネルを所望の高さに容易に調整することができる。また、前記係止片を前記連結部から抜き出すことによって、上部パネルを固定部から離脱させることができる。
【００１７】
本発明によると、レンジフードの設置高さに対応して支持枠高さを調節しておくことで、上部パネルの係止片を、支持枠上部の連結部に挿入して落下不能に係止して、下部パネルを下方にスライド下降させることによって、化粧パネルを所望の高さに調整して取り付けることができる。
【００１９】
本発明によると、上部パネルの係止片を、支持枠の連結部に挿入することによって、係止片が係止部に係止されて上部パネルの抜け出しが阻止されると共に、係止片が受け部に受止められて上部パネルの落下が阻止される。
【００２１】
本発明によると、化粧パネルを本体ハウジング側に押付けるようにして、上部パネルの係止片を支持枠の連結部に挿入することによって、係止片を弾性変形させて連結部の係止部に係止させることができる一方、化粧パネルを本体ハウジング側から前方へ引き出するようにして、上部パネルの係止片を支持枠の連結部から抜き出すことによって、係止片を弾性変形させて連結部の係止部から離脱させることができる。
【００２２】
これによって、化粧パネルの上部パネルを、ワンタッチ操作で簡単に、本体ハウジング側の支持枠に係止させ、あるいは、支持枠から離脱させることができる。
【００２４】
本発明によると、上部パネルから片持ち状に突設された弾性変形可能な係止片を、支持枠の連結部の装着口に挿入することによって、係止片の斜め上方に屈曲した屈曲部が、連結部の係止部に弾性的に当接して係止されると共に、連結部の受け部によって、係止片が受止められて上部パネルが落下不能に支持される。
【００２５】
（２）本発明のレンジフードは、排気用ファンを内装した本体ハウジングの前部に、前記本体ハウジングの前面及びその上方を覆う化粧パネルを取り付けるレンジフードにおいて、
前記化粧パネルは、上部パネルと、該上部パネルに対して上下にスライド自在な下部パネルとを備え、
前記上部パネルを、前記本体ハウジングの前部上方に位置する固定部に、前面から挿抜操作可能に係止する係止手段を備え、
前記係止手段は、前記上部パネルに備えられる係止片と、前記固定部に備えられると共に、前記係止片が前後方向に挿抜操作される連結部とを備えており、
前記固定部が、前記本体ハウジングに立設された高さ調節可能な支持枠の上部であり、
前記連結部は、前記係止片を前後方向に抜け止め係止する係止部と、前記係止片を上下方向に受止める受け部とを備え、
前記係止片の前記係止部への係止によって、上部パネルの前方への移動が阻止され、前記係止片を前記受け部で受止めることで、上部パネルの落下が阻止されるものであり、
前記係止片は、弾性変形可能であり、前記上部パネルを前後方向に移動させて、前記係止片を弾性変形させることによって、前記係止片を前記係止部へ係止あるいは前記係止部から離脱させるものであり、
前記係止片は、前記上部パネルから片持ち状に突設され、かつ、中間部が折返されると共に、先端部が丸められたカール部を有し、前記受け部と該受け部に対向する係止部とによって、前記係止片が挿抜される装着口が形成され、該装着口の奥側の前記係止部に、前記係止片の前記カール部が弾性的に当接して係止される。
【００２６】
本発明によると、上部パネルから片持ち状に突設された弾性変形可能な係止片を、支持枠の連結部の装着口に挿入することによって、係止片の先端部が丸められたカール部が、連結部の係止部に弾性的に当接して係止されると共に、連結部の受け部によって、係止片が受止められて上部パネルが落下不能に支持される。
【００２９】
（３）本発明の他の実施態様では、前記固定部に係止された前記上部パネルに対してスライド下降させた下部パネルの下部を、本体ハウジング側に固定する止着手段を備える。
【００３０】
この実施態様によると、本体ハウジング側に係止連結した上部パネルに対してスライド下降させた下部パネルの下部を、本体ハウジング側に止着することで、化粧パネル全体を、排気ファンの運転に伴ってガタ付くようなことなく、上下でしっかり固定することができる。
【発明の効果】
【００３３】
このように、本発明によれば、本体ハウジングの前面及びその前面を覆う化粧パネルを簡単かつ速やかに取付けることができるので、レンジフード設置作業を容易に行うことが可能となる。
【図面の簡単な説明】
【００３４】
【図１】レンジフードを備えたシステムキッチンの一形態を示す概略正面図である。
【図２】レンジフードの斜視図である。
【図３】化粧パネルを分解したレンジフードの斜視図である。
【図４】化粧パネルの装着途中のレンジフードの斜視図である。
【図５】上部パネル装着構造の斜視図である。
【図６】化粧パネルの装着工程を示す要部の側面図である。
【図７】化粧パネルの装着工程を示す要部の側面図である。
【図８】化粧パネルの装着工程を示す要部の側面図である。
【図９】上部パネル装着構造の別実施形態を示す斜視図である。
【図１０】図９の上部パネル装着構造の要部の側面図である。
【図１１】上部パネル装着構造の参考例を示す斜視図である。
【図１２】図１１の上部パネル装着構造の要部の側面図である。
【図１３】上部パネル装着構造の参考例を示す斜視図である。
【図１４】図１３の上部パネル装着構造の要部を示す側面図である。
【図１５】下部パネル止着構造の別実施形態を示す斜視図である。
【図１６】図１５の下部パネル止着構造の要部の縦断側面図である。
【図１７】参考例における化粧パネルを分解したレンジフードの斜視図である。
【発明を実施するための形態】
【００３５】
以下、本発明の実施の形態について図面を参照しながら説明する。
【００３６】
図１は、本発明の一実施形態に係るレンジフード１を備えたシステムキッチンの概略正面図であり、図２は、図１のレンジフード１の斜視図であり、図３は、化粧パネルを分解した状態のレンジフード１の斜視図である。
【００３７】
この例のシステムキッチンでは、レンジ台２がシンク台３と調理台４の間に配置され、このレンジ台２の上方には、レンジフード１が、左右の吊り戸棚５，６の間に挟まれて設置されている。
【００３８】
レンジフード１は、図示されていない排気用ファンを内装した矩形箱形の本体ハウジング１１の下部に、調理中に発生する煙や湯気などの排気を吸引捕集する扁平なフードケース１２が、レンジ台２の加熱部を上方から覆うように前方突出状態で連結された構造となっている。フードケース１２で捕集された排気が、本体ハウジング１１に接続される図示されていない排気ダクトを介して屋外に導かれ排出されるようになっている。
【００３９】
本体ハウジング１１の前部左右両側には、縦長の支持枠１３が立設固定されており、左右の支持枠１３の前面にフードケース１２と同幅の化粧パネル１４が取り付けられる。
【００４０】
各支持枠１３は、その横外側面がフードケース１２の横外側面と一致するように、本体ハウジング１１の上面に立設固定された下部支持枠１３Ｌと、これに対して上下にスライド可能に内嵌支持された上部支持枠１３Ｕとからなる。上部支持枠１３Ｕの上下複数の連結位置を選択して固定することによって、上部支持枠１３Ｕの高さを調節できる構造となっている。左右の各支持枠１３は、左右の吊り戸棚５，６の奥行き寸法が小さい場合には、前面の化粧パネル１４と吊り戸棚５，６との間に生じる側面のすき間を塞ぐ機能を有しており、塞ぎ板とも呼称される。
【００４１】
本体ハウジング１１の前面を覆う化粧パネル１４は、幕板とも呼称され、下端辺と左右両端辺が屈折補強された下部パネル１４Ｌと、上端辺と左右両端辺が屈折補強された上部パネル１４Ｕとからなる。この化粧パネル１４は、下部パネル１４Ｌに、上部パネル１４Ｕが上下スライド可能に差し込み内嵌され、化粧パネル１４全体が上下にスライド伸縮可能に構成されている。
【００４２】
上部パネル１４Ｕの上部が、図３に示される支持枠１３の上部に備えた連結部１５に、前面から挿抜操作可能に連結支持される。
【００４３】
係止手段は、図３及び図５に示すように、上部パネル１４Ｕにおける左右両端部の内面から片持ち状に突出された係止片１６と、上部支持枠１３Ｕの連結部１５とを備えている。上部支持枠１３Ｕの連結部１５は、係止片１６が挿抜される装着口１７、係止部１８、及び、受け部１９を備えている。
【００４４】
係止片１６は、弾性変形可能な帯状のバネ板材を屈曲して形成されており、その先端側には、斜め上方に屈曲された屈曲部１６ａが備えられている。連結部１５の係止部１８は、図６の側面図にも示されるように、上部支持枠１３Ｕの前端に沿って備えられた内折り辺１３Ｕａに一体連設されており、側方視でＵ形に屈曲形成されている。また、受け部１９は、前記内折り辺１３Ｕａの内面に、別部材を溶接固定して構成されており、係止部１８に下方から対向する逆Ｕ形に屈曲形成されている。そして、係止部１８と受け部１９との間に係止片１６が挿抜される装着口１７が形成されている。
【００４５】
レンジフード１は以上のように構成されており、次に、このレンジフード１の設置手順を説明する。
【００４６】
先ず、図３に示される本体ハウジング１１の上面に備えた取っ手２０を用いて持上げ、厨房奥壁面の所定高さ位置に取付け固定する。この場合、予め、奥壁面にフック付きの取付けブラケット（図示せず）を位置決め固定しておき、本体ハウジング１１を、取付けブラケットのフックに係合させる。この状態で、本体ハウジング１１の左右上部奥端の連結金具２１及び左右下部奥端の図示しない連結金具を介して厨房奥壁面に取付け固定する。
【００４７】
次に、レンジフード１に対して排気ダクトの接続処理、電源への接続処理、などの付随処理を行う。
【００４８】
その後、左右の各支持枠１３の上部支持枠１３Ｕと下部支持枠１３Ｌとを組合せ、下部支持枠１３Ｌを、本体ハウジング１１に固定する。支持枠１３の横側面には、複数の横向き取付け孔２２が縦列状に予め形成されていると共に、支持枠１３の上端には、縦向き取付け孔２３が予め形成されている。複数の横向き取付け孔２２のいずれかの横向き取付け孔２２を用いて吊り戸棚５，６の横外側面に支持枠１３をネジ連結し、縦向き取付け孔２３を用いて支持枠１３上端部を天井壁Ｗにネジ連結する。なお、レンジフード１の横一側面が厨房の側壁に対向される場合には、この側壁に支持枠１３をネジ連結することができる。
【００４９】
次に、固定された本体ハウジング１１の前方まで、短縮状態にセットした化粧パネル１４を持上げ搬入し、図６及び図７に示すように、化粧パネル１４を少し傾斜した姿勢にして、係止片１６を装着口１７に挿入し、化粧パネル１４を垂直姿勢に変更しながら支持枠１３に押し付けてゆく。
【００５０】
この際、係止片１６は弾性変形されながら係止部１８と受け部１９との間の装着口１７を通過し、化粧パネル１４全体が支持枠１３の前面に当接された状態では、図８に示すように、係止片１６の屈曲部１６ａが係止部１８に下方から弾性的に当接し、上部パネル１４Ｕの前方への抜け出しが阻止される。また、同時に係止片１６が受け部１９の上面に受止められて上部パネル１４Ｕの落下が阻止される。
【００５１】
次に、図４に示すように、下部パネル１４Ｌを下限まで、すなわち、下部パネル１４Ｌの下端に備えた下部屈折辺１４Ｌａがフードケース１２の上面に当接するまで下方にスライドさせ、化粧パネル１４の高さを所望の高さに調整する。この場合、下部パネル１４Ｌが自重でスライド下降するように、上部パネル１４Ｕと下部パネル１４Ｌとをスライド抵抗少なく嵌合させておいてもよく、あるいは、少し外力を加えることで下部パネル１４Ｌが下降する程度のスライド抵抗を与えておいてもよい。
【００５２】
次に、下部パネル１４Ｌにおける下部屈折辺１４Ｌａを下部支持枠１３Ｌの下部前面に当てつけて、図２に示すように、左右二箇所においてネジ２４で締め込み固定する。これによって天井壁Ｗからフードケース１２の上面までを覆う化粧パネル１４は前方に浮き上がることなくしっかりと固定される。
【００５３】
なお、点検整備や分解の際には、ネジ２４を取り外した後、下部パネル１４Ｌを持上げスライドさせ、短縮させた化粧パネル１４の下部を手前に引いて傾けながら前方に少し強く引き出すことで、係止片１６を弾性変形させて連結部１５の係止部１８から離脱させて抜き出し、化粧パネル１４を手前に取り外すことができる。
【００５４】
［他の実施形態及び参考例］
【００５５】
（１）図９，図１０に示すように、弾性変形可能な帯状のバネ板材からなる係止片１６を、先端側にＶ形に大きく屈曲した屈曲部１６ａを備えると共に、この屈曲部１６ａの外向き先端部に、丸めたカール部１６ｂを備える構成とする。屈曲部１６ａを弾性変形させながら係止片１６を、上部支持枠１３Ｕの装着口１７に挿入し、上部パネル１４Ｕが上部支持枠１３Ｕの前面に当接する挿入限界において、弾性復元した屈曲部１６ａのカール部１６ｂが、装着口１７の内方上部に位置する係止部１８に、内方から弾性的に当接して、上部パネル１４Ｕの前方への抜け止めがなされる。同時に、係止片１６を、装着口１７の内方下部に位置する受け部１９で受止めて、上部パネル１４Ｕの落下を阻止するようにしてもよい。
【００５６】
この実施形態によると、化粧パネル１４を天井壁Ｗと平行に移動させて支持枠１３に取り付けることができるので、上部パネル１Ｕｂの上端を天井壁Ｗにほとんど隙間無く接近させて化粧パネル１４を取り付けることができる。
【００５７】
化粧パネル１４を取り外す際には、下部パネル１４Ｌを持上げスライドさせ、短縮させた化粧パネル１４の上部を前方に少し強く引き出すことで、係止片１６を連結部１５から抜き外して化粧パネル１４を手前に取り外すことができる。
【００５８】
（２）図１１，図１２の参考例に示すように、下向きに屈曲されて折返された数ｍｍ程度の段差を有する折返し部１６ｃを係止片１６の先端に設けると共に、上部支持枠１３Ｕの装着口１７を前記折返し部１６ｃが通過できる上下幅に形成する。装着口１７に係止片１６を挿入した後、化粧パネル１４を少し落し込んで折返し部１６ｃを、受け部１９の奥端に下方に屈折連設した係止部１８に係止することで、上部パネル１４Ｕの前方への抜け出し、及び、下方への落下を阻止した状態に支持することもできる。
【００５９】
但し、この参考例によると、折返し部１６ｃの段差分だけ化粧パネル１４を、押し上げて上部支持枠１３Ｕに挿入して落し込み係止することになるので、上部パネル１４Ｕの上端と天井壁Ｗとの間に落し込み量に相当する大きさ（数ｍｍ程度）の隙間が生じることになる。
【００６０】
なお、上記折返し部１６ｃは、折返すことなく、下方へ屈曲させるだけであってもよい。
【００６１】
（３）図１１，図１２に示す落し込み係止構造を、図１３，図１４の参考例に示すように変形することもできる。すなわち、上部パネル１４Ｕにおける左右の折返し辺１４Ｕａから下方に屈曲したフック状の係止片１６を折出し突設すると共に、上部支持枠１３Ｕの内折り辺１３Ｕａに係止片１６が通過できる上下長さを有するスリット状の装着口１７を形成する。この装着口１７に係止片１６を挿入した後、化粧パネル１４を少し落し込んでフック状の係止片１６を装着口１７の下端内面（係止部１８）に係止すると共に、係止片１６を装着口１７の下端（受け部）に乗せつけることで、上部パネル１４Ｕの前方への抜け出し、及び、下方への落下を阻止した状態に支持することもできる。
【００６２】
この参考例によると、別部材を用いることなく係止片１６と連結部１５を形成することができ、製作コストの節減に寄与する。
【００６３】
（４）スライド下降させた下部パネル１４Ｌを、下部支持枠１３Ｌに固定する止着手段として、図１５，図１６に示すような係止方式を採用することもできる。
【００６４】
すなわち、下部パネル１４Ｌにおける左右の折返し辺１４Ｌｂから下向きのフック２５を折出し突設し、上部パネル１４Ｌを上部支持枠１３Ｕの連結部１５に係止連結した後、下部パネル１４Ｌを下方にスライド移動させる際に、フック２５を、下部支持枠１３Ｌの下部に立設されているリブ壁２６に上方から係合止着させることで、下部パネル１４Ｌをガタつくことなく係止支持する構造とすることもできる。なお、リブ壁２６の上端には、フック２５を係合案内するノッチ２７がＶ形に切り込み形成されており、左右のノッチ２７への係合によって下部パネル１４Ｌの左右位置決めがなされる。
【００６５】
この実施形態によると、装着した化粧パネル１４の下部を、前方に浮き上がることなく係止支持することができ、下部パネル１４の下部を支持枠１３の下部にネジ連結する必要がなくなり、更に施工性が向上すると共に、部品を節減することができる。
【００６７】
（５）レンジフード１の横一側あるいは両横側に吊り戸棚や厨房の側壁が無く開放されている場合には、一方あるいは左右両方の支持枠１３を、レンジフード１が連結される奥壁にまで及ぶ前後幅の大きいものにし、この幅広の支持枠１３を、レンジフード１の横側を覆うサイドパネルとしても利用する仕様とすることもできる。
【００６８】
（６）参考例として、レンジフード１に隣接する吊り戸棚の横側面、あるいは、天井壁Ｗあるいは側壁を固定部として利用することもできる。例えば、図１７に示すように、化粧パネル１４の横幅と同じ長さに形成した横長の支持金具２８を別途用意して現場に持ち込み、天井壁Ｗ（あるいは、吊り戸棚の横側面、厨房の側壁、等）に位置決めしてネジ連結し、本体ハウジング１１の前部上方に位置する支持金具２８の左右に備えた連結部１５に、上部パネル１４Ｕを、係止片１６を介して係止連結し、下降スライドさせた下部パネル１４Ｌの下端部を、本体ハウジング１１の前部に設けた左右の支持枠１３に止着する形態とすることもできる。
【００６９】
（７）上部パネル１４Ｕを上部支持枠１３Ｕの上下二箇所に、例えば、図１１，図１２の参考例で示される係止手段を用いて係止連結すれば、上部パネル１４Ｕ全体を前方への浮き上がり無くしっかりと係止支持することができる。この場合には、この上部パネル１４Ｕに対してスライド下降させた下部パネル１４Ｌは支持枠１３に特に止着しない自由状態にしておいてもよい。但し、この場合は、自由状態の下部パネル１４Ｌが、排気ファン運転に伴って振動することがないように、上部パネル１４Ｕに対して下部パネル１４Ｌをガタつきなく嵌合支持しておく必要がある。
【符号の説明】
【００７０】
１１                本体ハウジング
１３                支持枠
１３Ｌ              下部支持枠
１３Ｕ              上部支持枠
１４                化粧パネル
１４Ｌ              下部パネル
１４Ｕ              上部パネル
１５                連結部
１６                係止片
１７                装着口
１８                係止部
１９                受け部
【図１】
0006576701.tif 000002
【図２】
0006576701.tif 000003
【図３】
0006576701.tif 000004
【図４】
0006576701.tif 000005
【図５】
0006576701.tif 000006
【図６】
0006576701.tif 000007
【図７】
0006576701.tif 000008
【図８】
0006576701.tif 000009
【図９】
0006576701.tif 000010
【図１０】
0006576701.tif 000011
【図１１】
0006576701.tif 000012
【図１２】
0006576701.tif 000013
【図１３】
0006576701.tif 000014
【図１４】
0006576701.tif 000015
【図１５】
0006576701.tif 000016
【図１６】
0006576701.tif 000017
【図１７】
0006576701.tif 000018